(57)【要約】【課題】高齢者などの操作に不慣れな者でも簡単にキー操作できる携帯電話を提供すること。【解決手段】操作信号もしくはデータを入力するための操作キーと、前記操作キーの操作シーケンスプログラムが記憶された記憶手段と、最初の操作キーが操作された場合に、次に操作すべき操作キーを前記操作シーケンスプログラムに従って順に前記操作キーを点灯、点滅または色変化若しくは光度変化させることにより、次に操作すべき操作キーを光でガイドする操作ガイド手段とを具備する。【選択図】図１
2005348184.tif 000002
【特許請求の範囲】
【請求項１】
操作信号もしくはデータを入力するための操作キーと、
前記操作キーの操作シーケンスプログラムが記憶された記憶手段と、
最初の操作キーが操作された場合に、次に操作すべき操作キーを前記操作シーケンスプログラムに従って順に前記操作キーを点灯、点滅または色変化若しくは光度変化させることにより、次に操作すべき操作キーを光でガイドする操作ガイド手段とを具備したことを特徴とする携帯電話。
【請求項２】
受信した通話信号に相手の電話番号が含まれていない場合、又は受信した通話信号に含まれる電話番号が、前記記憶手段に格納されている電話番号のうちの受信を拒否する設定が予めなされている電話番号と一致した場合若しくは受信を許可する設定が予めなされている電話番号のいずれとも一致しない場合は、すべての操作キーを光らせないように前記操作ガイド手段で制御を行うことを特徴とする請求項１に記載の携帯電話。
【請求項３】
前記受信した通話信号に相手の電話番号が含まれている場合は、所定時間経過後に前記操作ガイド手段を作動させるように構成したことを特徴とする請求項２に記載の携帯電話。
【請求項４】
特定の電話番号が登録された操作キーを備え、前記特定の電話番号を有する電話からの着信中は前記操作キーを点灯または点滅させるように前記操作ガイド手段で制御を行うことを特徴とする請求項１乃至３のいずれかに記載の携帯電話。
【請求項５】
特定の電話番号が登録された操作キーを備え、前記特定の電話番号を有する電話からの着信履歴表示として、前記操作キーを点灯または点滅させるように前記操作ガイド手段で制御を行うことを特徴とする請求項１乃至４のいずれかに記載の携帯電話。
【請求項６】
前記操作キーの点灯または点滅を、前記操作キーの発光色の変更もしくは発光強度の変更で置き換えたことを特徴とする請求項４又は５に記載の携帯電話。
【請求項７】
それぞれ異なる電話番号が登録された複数の操作キーを備え、前記それぞれの電話番号を有する複数の電話からの着信履歴表示として、前記複数の操作キーを着信順に色分けして点灯若しくは点滅させるか、又は着信順に時間間隔を変えて点滅させるか若しくは発光強度を変更するように前記操作ガイド手段で制御を行うことを特徴とする請求項１乃至４のいずれかに記載の携帯電話。
【請求項８】
入力された電話番号の種類を判定する電話番号種類判定手段をさらに具備し、
トリガが入力されることによりすべてのテンキーを点灯もしくは点滅させ、前記電話番号の種類によって決められている桁数の入力が終了すると前記テンキーをすべて消灯して発信キーの点灯もしくは点滅に切り替えるように前記操作ガイド手段で制御を行うことを特徴とする請求項１乃至７のいずれかに記載の携帯電話。
【請求項９】
前記発信キーが押下された後に終話キーを点灯又は点滅させるように前記操作ガイド手段で制御を行うことを特徴とする請求項８に記載の携帯電話。
【請求項１０】
前記トリガは、最初に操作される操作キーが、入力される電話番号の１桁目のテンキー押下、または折りたたみ式若しくはフリッパー式携帯電話の開動作である請求項８又は９に記載の携帯電話。
【請求項１１】
入力された電話番号の種類を判定する電話番号種類判定手段をさらに具備し、
発信キーを押下することによりすべてのテンキーを点灯もしくは点滅させ、前記電話番号の種類によって決められている桁数の入力が終了すると前記テンキーをすべて消灯するように前記操作ガイド手段で制御を行うことを特徴とする請求項１乃至７のいずれかに記載の携帯電話。
【請求項１２】
前記電話番号の入力が完了した後に、終話キーが点灯もしくは点滅するように前記操作ガイド手段で制御を行うことを特徴とする請求項１１に記載の携帯電話。
【請求項１３】
前記テンキーの点滅または消灯を、前記テンキーの発光色の変更もしくは発光強度の変更で置き換えたことを特徴とする請求項８乃至１２のいずれかに記載の携帯電話。
【請求項１４】
さらに電子メール機能と、該電子メール機能起動専用キーとを具備し、
電子メール通知受信済若しくは電子メール受信完了後未読メールがある場合には、前記電子メール機能起動専用キーを点滅させ、すべての電子メールが受信完了でかつ未読メールがなくなった時点で前記電子メール機能起動専用キーを消灯するように前記操作ガイド手段で制御を行うことを特徴とする請求項１乃至１３のいずれかに記載の携帯電話。
【請求項１５】
前記電子メール機能起動専用キーの点滅または消灯を、前記電子メール機能起動専用キーの発光色の変更もしくは発光強度の変更で置き換えたことを特徴とする請求項１４に記載の携帯電話。
【発明の詳細な説明】
【技術分野】
【０００１】
本発明は、携帯電話に関し、特に、携帯電話の操作手順をキーの発光によってガイドすることで分かりやすい操作を可能とした携帯電話に関する。
【背景技術】
【０００２】
近年、携帯電話の普及により、従来の若年層だけではなく、高齢者も含む幅広い年令層にまで使用されるようになってきた。特に携帯電話の多機能化に伴い、取扱説明書も分厚くなり、すべてを読んで内容を理解して使いこなせている人は少ない。
特に、高齢者の方はこのような機器の操作に慣れていない方が多く、携帯電話の使用をためらう原因の一つともなっている。
これに対して、発信・着信時は携帯電話の画面上に実際に操作するキーの絵を表示してガイドを行うような機種も存在している。しかしながら、かかる方法では、以下のような問題が生ずる。
（１）画面を持たない携帯電話では対応ができない。
（２）画面を見て、同じキーが何処にあるのかを判断し操作をしなければならないので、操作者にストレスを与える。
また、携帯電話に設けられたヘルプボタンを押し、携帯電話のサービスを提供している会社のガイダンスセンターを呼び出してオペレータによる音声ガイダンスを行うシステムも提案されている（特許文献１参照。）
しかしながら、これはガイダンスセンターを呼び出して通信を行うため、通信料が新たに発生するとともに、アクセス混雑時はなかなかつながらない等の問題点がある。
【特許文献１】特開２００２−１４２０２８号公報
【発明の開示】
【発明が解決しようとする課題】
【０００３】
本発明は、上述のような問題を解決するために為されたものであり、高齢者などの操作に不慣れな者でも簡単にキー操作できる携帯電話を提供することを目的とする。
【課題を解決するための手段】
【０００４】
本発明は、携帯電話に関し、上記課題を解決するための第１の発明は、操作信号もしくはデータを入力するための操作キーと、前記操作キーの操作シーケンスプログラムが記憶された記憶手段と、最初の操作キーが操作された場合に、次に操作すべき操作キーを前記操作シーケンスプログラムに従って順に前記操作キーを点灯、点滅または色変化若しくは光度変化させることにより、次に操作すべき操作キーを光でガイドする操作ガイド手段とを具備したことを特徴とするものである。
すなわち、ある操作を行う場合、最初のキーが押されると次に押すべきキーを光の点灯や点滅等で順を追って操作者にガイドするようにしたものである。
【０００５】
上記課題を解決するための第２の発明は、受信した通話信号に相手の電話番号が含まれていない場合、又は受信した通話信号に含まれる電話番号が、前記記憶手段に格納されている電話番号のうちの受信を拒否する設定が予めなされている電話番号と一致した場合若しくは受信を許可する設定が予めなされている電話番号のいずれとも一致しない場合は、すべての操作キーを光らせないように前記操作ガイド手段で制御を行うことを特徴とするものである。
すなわち、電話番号非通知の場合、公衆電話からの発信、又は知らない相手若しくは着信拒否の設定をしている相手からの着信があった場合は、何も光らせないため、電話に出なくても済む。なお、第２の発明の変形例として、前記受信した通話信号に相手の電話番号が含まれている場合は、所定時間経過後に前記操作ガイド手段を作動させるように構成してもよい。これによって、いわゆる「ワン切り」に対応することができる。すなわち、電話番号を受信してから数秒経過しないと着信キーが点灯しないようにしておけば、１〜２秒で切れる「ワン切り」の場合は着信キーが点灯しないからである。
【０００６】
上記課題を解決するための第３の発明は、特定の電話番号が登録された操作キーを備え、前記特定の電話番号を有する電話からの着信中は前記操作キーを点灯または点滅させるように前記操作ガイド手段で制御を行うことを特徴とするものである。
すなわち、よく使う電話番号を登録した発信先指定キーを設け、前記電話番号からの着信があると、前記発信先指定キーが点灯又は点滅するように構成したものであり、誰からの着信であるかが（画面を見なくても）一目で分かるようになっている。特に、表示画面を持たない携帯電話においては極めて有効である。
【０００７】
上記課題を解決するための第４の発明は、特定の電話番号が登録された操作キーを備え、前記特定の電話番号を有する電話からの着信履歴表示として、前記操作キーを点灯または点滅させるように前記操作ガイド手段で制御を行うことを特徴とするものである。
すなわち、よく使う電話番号を登録した発信先指定キーを設け、前記電話番号からの着信があった場合に電話にでられない事情があっても、着信履歴表示として前記発信先指定キーが点灯又は点滅するように構成したものであり、誰からの着信があったかが（画面を見なくても）一目で分かるようになっている。特に、表示画面を持たない携帯電話においては極めて有効である。なお、前記操作キーの点灯または点滅を、前記操作キーの発光色の変更もしくは発光強度の変更で置き換えても同じ効果が得られる。
【０００８】
上記課題を解決するための第５の発明は、それぞれ異なる電話番号が登録された複数の操作キーを備え、前記それぞれの電話番号を有する複数の電話からの着信履歴表示として、前記複数の操作キーを着信順に色分けして点灯若しくは点滅させるか、又は着信順に時間間隔を変えて点滅させるか若しくは発光強度を変更するように前記操作ガイド手段で制御を行うことを特徴とするものである。
すなわち、前記第４の発明において、発信先指定キーを複数設け、それぞれ登録されている複数の人から着信があった場合、その着信履歴を着信順に色分けして点灯若しくは点滅させるか、又は着信順に時間間隔を変えて点滅等させるようにしたものである。これにより、着信順が簡単に把握できる。
【０００９】
上記課題を解決するための第６の発明は、入力された電話番号の種類を判定する電話番号種類判定手段をさらに具備し、トリガが入力されることによりすべてのテンキーを点灯もしくは点滅させ、前記電話番号の種類によって決められている桁数の入力が終了すると前記テンキーをすべて消灯して発信キーの点灯もしくは点滅に切り替えるように前記操作ガイド手段で制御を行うことを特徴とするものである。
すなわち、電話をかける場合、電話番号の種類によって入力すべき桁数が異なるので、入力された電話番号からその番号の種類を判定し、必要な桁数が全部入力し終わるまでテンキーを点灯あるいは点滅させ続け、入力が終了するとテンキーをすべて消灯して発信キーを点灯もしくは点滅するようにしたものである。これにより番号入力時の桁抜けが防止できる。なお、前記トリガは、最初に入力される電話番号の１桁目のテンキー押下、または折りたたみ式若しくはフリッパー式携帯電話の開動作を利用してもよい。また、前記発信キーが点灯もしくは点滅し、ユーザがそれを押下した後に終話キーを点灯又は点滅させるように前記操作ガイド手段を制御すればさらに効果的である。
【００１０】
上記課題を解決するための第７の発明は、入力された電話番号の種類を判定する電話番号種類判定手段をさらに具備し、発信キーを押下することによりすべてのテンキーを点灯もしくは点滅させ、前記電話番号の種類によって決められている桁数の入力が終了すると前記テンキーをすべて消灯するように前記操作ガイド手段で制御を行うことを特徴とするものである。
第６の発明と異なる点は、トリガとして発信キーを利用した点である。すなわち、最初に発信キーを押す場合もあることを考慮し、最初に発信キーを押すとテンキーが点灯等され、入力終了後に消灯するようにしたものである（その後自動発信）。
なお、前記第６又は第７の発明において、前記電話番号の入力が完了した後に、終話キーが点灯もしくは点滅するように前記操作ガイド手段で制御を行うようにすれば効果的である。また、前記テンキーを点滅または消灯させる代わりに、前記テンキーの発光色を変更もしくは発光強度を変更するように構成してもよい。
【００１１】
上記課題を解決するための第８の発明は、前記携帯電話に、さらに電子メール機能と、該電子メール機能起動専用キーとを具備し、電子メール通知受信済若しくは電子メール受信完了後未読メールがある場合には、前記電子メール機能起動専用キーを点滅させ、すべての電子メールが受信完了でかつ未読メールがなくなった時点で前記電子メール機能起動専用キーを消灯するように前記操作ガイド手段で制御を行うことを特徴とするものである。
また、前記電子メール機能起動専用キーを点滅または消灯させる代わりに、前記電子メール機能起動専用キーの発光色を変更もしくは発光強度を変更するように構成すれば効果的である。
【発明の効果】
【００１２】
本発明に係る携帯電話によれば、高齢者などの操作に不慣れな者でもスムーズにキー操作又は取り扱いができるという効果がある。
【発明を実施するための最良の形態】
【００１３】
本発明は携帯電話に関し、特に、操作手順をキーの発光によってガイドすることで分かりやすい操作を可能とした携帯電話に関するものであり、以下、図面を参照して詳細に説明する。
図１は、本発明に係る携帯電話の構成を示すブロック図である。１００は操作信号を入力したり、データを入力したりする働きを持つキー群である。キーの具体例としては、「０〜９」の数字及び「＊、＃」を含むテンキー、「発信キー」、「終話キー」、ワンタッチで電話がかけられる発信先指定キー、メール機能起動専用キーなどの特殊キーなどがある。１０１はキーが押下されたことを感知する押圧センサ、１０２はキーに組み込まれているＬＥＤ１０３を発光又は点滅させるためのＬＥＤ駆動回路である。
１１０は携帯電話の制御に必要なデータやプログラムが格納されている記憶手段である。操作シーケンスプログラム１１１は、携帯電話に対してある操作を行う場合の操作手順をキー１００の点灯や点滅（以下、点灯等という。）によってガイドするためのプログラムであり、このプログラムに従ってキーの点灯等の順序が制御される。１１２は登録した電話番号データであり、１１３は電話番号の種類を判定する電話番号種類判定プログラムである。この電話番号種類判定プログラムの詳しい内容については後述する。
１２０は無線部であり、アンテナを介して外部と無線通信を行うためのものである。また、１３０は電子メール送受信手段であり、１４０は音声入出力手段である。１５０は文字や画像を表示する表示部である。１６０は携帯電話の基本的な動作を基本制御プログラム１６１に基づいて制御する制御部（ＣＰＵ）である。
【００１４】
図２は携帯電話１０の外観を示す図である。１１は発信キーであり、電話をかける場合に押下するものである。１２は数字や記号（＊、＃）を含むテンキーであり、電話番号やデータを入力するのに用いられる。１３は通話が終了し通信を切断させる場合に押下される終話キーである。電源スイッチキーを兼ねている場合が多い。１４はワンタッチキー（発信先指定キー）、メール機能起動専用キーなどに割り当てられる特殊キーである。１５は表示器、１６は受話部、１７は送話部である。また、１８は無線通信を行うためのアンテナである。
【実施例】
【００１５】
図３は、第１の発明の実施例におけるフローチャートである。この実施例では、携帯電話の代表的な使用例である「電話をかける」という行為に必要なすべての操作を、次に操作すべきキーを発光あるいは点滅させることによってガイドするものである。
まず、これから電話を発信しようとする場合、まず最初に発信キーを押す（ステップＳ３０１）。そうすると電話番号を入力するテンキーが自動的に点滅し（ステップＳ３０２）、操作者は電話番号を入力する。なお、折りたたみ式の携帯電話の場合は、ステップＳ３０１において開く動作によって発信キーを点滅させるようにしておけば、なお効果的である。
次に、電話番号の入力が終了すると自動的に通話を確立（相手を呼び出す）するように動作するが（ステップＳ３０４）、その前に、電話番号が必要な桁数分入力されたか否かを携帯電話自身で判断する必要がある。そこで、その前のステップＳ３０３において、入力された電話番号の必要桁数の判定を行う必要がある。この判定方法は種々あるが、例えば、相手の携帯電話にかける場合の番号は、０９０−ＸＸＸＸ−ＸＸＸＸと１１桁になるので、最初の３桁が入力された時点でこの番号は携帯電話用であることが判定できる。あるいは、１１桁全部入力された段階で判定してもよい（このほうが確実）。この機能は普段よくかける相手の電話の種類（携帯電話、ＰＨＳ、一般加入者電話）に限定してもよい。
次に、通話が接続されると終話キーが点滅し（ステップＳ３０５）、電話が終わったらそのキーを押すべきことをガイドする。実際に通話が終了すると操作者は終話キーを押下し（ステップＳ３０６）、接続が切断される（ステップＳ３０７）。以上のキー発光ガイド制御が、記憶手段１１０にある操作シーケンスプログラム１１１によってなされる。
なお、前記ステップＳ３０１において、発信キーを押すかわりに、電話番号の最初の１桁を入力するか、又は（折りたたみ式の携帯電話、フリッパー式携帯電話のフタ）開動作によってテンキーを点滅させるようにしてもよい。この場合は、前記ステップＳ３０４において発信キーを点滅させることになる。
次に、他の電話からの着信時においては、図３の右側のフローチャートに示すように、発信キーを点滅（ステップＳ３１１）→発信キー押下（ステップＳ３１２）→通話（ステップＳ３１３）→終話キーを点滅（ステップＳ３１４）→終話キー押下（ステップＳ３１５）→通話切断（キー消灯）（ステップＳ３１６）の順でキー発光ガイド制御がなされる。
なお、折りたたみ式またはフリッパー式携帯電話閉状態着信時においては、電話を開くためのキーを具備している場合があるので、その場合は、電話を開くためのキー自体を点滅→開くためのキー押下→通話開始（最近の携帯電話では、電話を開くと通話へ移行する機能を具備している）後、終話キーを点滅→終話キー押下→キー消灯という手順となる。
また、前記「点滅」部分をキー発光の色を変更する事によって知らせる手段、または発光強度の変更によって知らせる手段に置き換えてもよいことは言うまでもない。
【００１６】
図４は、第２の発明の実施例におけるフローチャートである。この発明は、電話をかけてきた相手の番号が、電話番号非通知、または公衆電話、通知なし、ワン切り、任意に指定した人からの迷惑電話拒否の設定をしている場合、または固定で設定（携帯電話を操作しても変更できない状態と）されている場合、着信音は出さず、全てのキーを光らせず、且つ何も表示しないようにする発明である。
図４は着信拒否の設定を行っている場合の例であるが、同図を参照して説明する。
携帯電話が着信を受けると（ステップＳ４０１）、着信した電話番号と、予め着信拒否の設定がなされている電話番号のリストにある電話番号との比較が行われ（ステップＳ４０２）、一致した場合は着信したことをユーザに知らせない。具体的にはすべてのキーを消灯のままとし、着信音も鳴らさない。また画面を有する携帯電話の場合は画面にも非表示とする（ステップＳ４０３）。これによって、ユーザは迷惑電話があったことに気付かない。
一方、一致する番号がなかった場合は通常の着信処理を行う（ステップＳ４０４〜Ｓ４０９）。なお、ステップＳ４０４〜Ｓ４０９は前述のステップＳ３１１〜Ｓ３１６と同じであるので説明は省略する。なお、本実施例では、いわゆる「ワン切り」の場合については対応していないが、この発明の変形例として、受信した通話信号に相手の電話番号が含まれている場合は、所定時間経過後に前記操作ガイド手段を作動させるように構成することにより、いわゆる「ワン切り」に対応することができる。すなわち、電話番号を受信してから数秒経過しないと着信キーが点灯しないように設定しておけば、１〜２秒で切れる「ワン切り」の場合は着信キーが点灯しないからである。
【００１７】
図５は、第３の発明の実施例におけるフローチャートである。この発明は、よく使う電話番号を登録した発信先指定キー（専用のキーを押すか、または、長く押すとそのキーに登録されている電話番号を表示またはその電話番号に対して発信を開始するキー）を設け、前記電話番号からの着信があると、前記発信先指定キーが点灯又は点滅するように構成したものであり、誰からの着信であるかを（画面を見なくても）一目で分かるようにするものである。
携帯電話が着信を受けると（ステップＳ５０１）、着信した電話番号と、予め発信先指定者（家族や親しい友人などの限られた者）リストに登録されている電話番号との比較が行われ（ステップＳ５０２）、一致した場合は、その電話番号が割り当てられている発信先指定キーを点滅させる（ステップＳ５０３）。ユーザが前記発信先指定キーを押下すると（ステップＳ５０４）、通話確立され（ステップＳ５０５）、通話ができるようになる。
一方、一致しなかった場合は発信先指定者以外からの着信であると判断し、発信先指定キーは消灯のまま発信キーを点滅させる（ステップＳ５０９）。ユーザが着信キーを押下すると（ステップＳ５１０）、通話確立され（ステップＳ５０５）、通話ができるようになる。以下の説明は省略する。
【００１８】
図６は、第４の発明の実施例におけるフローチャートである。この発明は、よく使う電話番号を登録した発信先指定キー（専用のキーを押すか、または、長く押すとそのキーに登録されている電話番号を表示またはその電話番号に対して発信を開始するキー）を設け、前記電話番号からの着信履歴があると、前記発信先指定キーが点灯又は点滅するように構成したものであり、誰からの着信があったかを（画面を見なくても）一目で分かるようにするものである。
携帯電話が着信を受けたとき（ステップＳ６０１）、電話に出ることができずに相手から切断した場合、その着信履歴が残る（ステップＳ６０２）。着信した電話番号と、予め発信先指定者（家族や親しい友人などの限られた者）リストに登録されている電話番号との比較が行われ（ステップＳ６０３）、一致した場合は、その電話番号が割り当てられている発信先指定キーを点滅させる（ステップＳ６０４）。
一方、一致しなかった場合は発信先指定者以外からの着信であると判断し、発信先指定キーは消灯のまま着信履歴だけを残す（ステップＳ６０５）。以下の説明は省略する。
【００１９】
図７は、第５の発明の実施例におけるフローチャートである。この発明は、前記第４の発明において、発信先指定キーを複数設け、それぞれ登録されている複数の人から着信があった場合、その着信履歴を着信順に色分けして点灯若しくは点滅させるか、又は着信順に時間間隔を変えて点滅させるようにしたものである。これにより、着信順が簡単に把握できる。
図７は着信のあった順に点滅の時間間隔を変えることにより、着信の順番を知らせるようにした場合の例であるが、図６と基本的には同様であるので説明は省略する。なお、点滅等の代わりに、発信先指定キーの光度を変えたり、または発信先指定キーの発光する色を変化させるようにしたりしてもよい。
【００２０】
図８は、第６の発明の実施例におけるフローチャートである。この発明は、電話をかける場合、電話番号の種類によって入力すべき桁数が異なるので、入力された電話番号からその番号の種類を判定し、必要な桁数が全部入力し終わるまでテンキーを点灯あるいは点滅させ続け、入力が終了するとテンキーをすべて消灯して発信キーを点灯もしくは点滅するようにしたものである。これにより番号入力時の桁抜けが防止できる。
まず、テンキーを点滅させるトリガとして、電話番号の最初の１桁の押下、又は折りたたみ式やフリッパー式の携帯電話の場合の開動作を行う（ステップＳ８０１）。前記トリガ入力によりテンキーが点滅するので（ステップＳ８０２）、次に電話番号を入力する（ステップＳ８０３）。ここで、電話番号種類判定手段（電話番号種類判定プログラム１１３に基づいて制御部１６０が行う。）を用いて、入力された（あるいは入力途中の）電話番号の種類を判定し、入力されるべき桁数を判定する。
携帯電話で使用される電話番号は、大きく分けると、以下の５種類に分けられる。
(1)０Ａ０から始まるもの（Ａ≠０）…携帯電話、ＰＨＳ、発信者課金ポケベル等に使用されるものである。０９０、０８０、０７０など。電話番号全体としては１１桁となる。
(2)００Ｂ（Ｂ≠０）から始まるもの…これは中継する電話会社を使って電話するときや国際電話をかける時に使用されるものである。例えば、００７７、００１など。電話番号全体としては１３桁以上となる。
(3)０ＡＢ０で始まるもの（Ａ，Ｂ≠０）…これは電話会社が提供する高度な電話サービスを利用するときに使用されるものである。代表的なものはフリーダイヤルの０１２０−である。電話番号全体としては１０桁以上となる。
(4)０ＡＢＣで始まるもの（Ａ，Ｂ、Ｃ≠０）…一般加入電話の場合に使用される。（０−市外局番−市内局番−加入者番号）電話番号全体としては９桁以上（ほとんどが１０桁で、一部に９桁がある。）。
(5)１ＡＢで始まるもの…緊急性、公共性、安全性の観点から重要なときや付加サービスに使用される。例えば、１１０，１１９，１０４，１１７，１７７など。全部で３桁となる。
以上を踏まえて、電話番号種類判定手段では３桁目まで入力された時点でまず判断する。
まず、入力された３桁が「０Ａ０」の場合は、上記(1)のケースと判断し、１１桁目が入力された時点で発信キーを点滅させる（ステップＳ８０４）。
次に、入力された３桁が「００Ｂ」の場合は、上記(2)のケースと判断し、１３桁目が入力された時点で発信キーを点滅させる（ステップＳ８０５）。
次に、入力された３桁が「０ＡＢ」でかつ４桁目が「０」の場合は、上記(3)のケースと判断し、１０桁目が入力された時点で発信キーを点滅させる（ステップＳ８０６）。
次に、入力された３桁が「０ＡＢ」でかつ４桁目が「０」以外の場合は、上記(4)のケースと判断し、９桁目が入力された時点で発信キーを点滅させる（ステップＳ８０７）。
さらに、入力された３桁が「１ＡＢ」の場合は、上記(5)のケースと判断し、３桁目が入力された時点で発信キーを点滅させる（ステップＳ８０８）。
なお、上記以外の数字が入力された場合は、入力エラーとみなし、何も点滅させない。
以上のロジックが電話番号種類判定プログラム１１３の実施例である。言うまでもないが、上記の電話番号の区分は例示であり、実際に運用されているものと完全に一致するものではない。
また、前記発信キーが点灯もしくは点滅し、ユーザがそれを押下した後に終話キーを点灯又は点滅させるように前記操作ガイド手段を制御すればさらに効果的であるが、詳細な説明は省略する。
【００２１】
図９は、第７の発明の実施例におけるフローチャートである。この発明が第６の発明と異なる点は、トリガとして発信キーを利用した点である。すなわち、最初に発信キーを押す場合もあることを考慮し、最初に発信キーを押すとテンキーが点灯等され、入力終了後に消灯するようにしたものである（その後自動発信）。フローチャートの説明は省略する。
【００２２】
図１０は、第８の発明の実施例におけるフローチャートである。この発明は、メール機能（電子メール送受信手段１３０）を搭載し、メール機能起動専用キーを具備する携帯電話である場合、メール通知（サーバにメールがあることを知らせる通知）または、未読メールがある場合には、メール機能起動専用キーを点滅させるようにしたものである。
メール通知受信済みであるがまだメール受信を完了していない場合、またはメール受信完了後未読メールがある場合には、メール機能起動専用キーを点滅させる（ステップＳ１００１）。全てのメール受信完了で且つ未読メールがなくなった時点でメール機能起動専用キーを消灯する（ステップＳ１００２）。このようにすることによりメール通知または未読メールの存在がひと目で分かる。なお、「点滅」または「消灯」の代わりにキー発光の色を変更するか、または発光強度の変更によって知らせるようにしてもよい。
【図面の簡単な説明】
【００２３】
【図１】本発明に係る携帯電話の構成を示すブロック図である。
【図２】携帯電話の外観を示す図である。
【図３】第１の発明の実施例におけるフローチャートである。
【図４】第２の発明の実施例におけるフローチャートである。
【図５】第３の発明の実施例におけるフローチャートである。
【図６】第４の発明の実施例におけるフローチャートである。
【図７】第５の発明の実施例におけるフローチャートである。
【図８】第６の発明の実施例におけるフローチャートである。
【図９】第７の発明の実施例におけるフローチャートである。
【図１０】第８の発明の実施例におけるフローチャートである。
【符号の説明】
【００２４】
１１  発信キー
１２  テンキー
１３  終話キー
１４  特殊キー
１５  表示器
１６  受話部
１７  送話部
１８  アンテナ
１００  キー群
１０１  押圧センサ
１０２  ＬＥＤ駆動回路
１０３  ＬＥＤ（発光素子）
１１０  記憶手段
１１１  操作シーケンスプログラム
１１２  電話番号データ
１１３  電話番号種類判定プログラム
１２０  無線部
１３０  電子メール送受信手段
１４０  音声入出力手段
１５０  表示部
１６０  制御部
【図１】
2005348184.tif 000003
【図２】
2005348184.tif 000004
【図３】
2005348184.tif 000005
【図４】
2005348184.tif 000006
【図５】
2005348184.tif 000007
【図６】
2005348184.tif 000008
【図７】
2005348184.tif 000009
【図８】
2005348184.tif 000010
【図９】
2005348184.tif 000011
【図１０】
2005348184.tif 000012